(57)【要約】【課題】ホップアップ機構のスプリング構造の小型化を図る手段を提供する。【解決手段】２つのスプリングを内外に配置した２重スプリング構造において、２つのスプリングの巻方向を同方向にする。【選択図】        図４
2015219706.tif 000002
【特許請求の範囲】
【請求項１】
２つのスプリングを内外に配置した２重スプリング構造において、
前記２つのスプリングの巻方向を同方向にしたことを特徴とする２重スプリング構造。
【請求項２】
請求項１に記載のスプリング構造において、
前記２つのスプリングの間に円筒状の仕切部材を設けたことを特徴とする２重スプリング構造。
【請求項３】
２つのスプリングを内外に配置した２重スプリング構造において、
前記２つのスプリングの巻方向を異なる方向にしたことを特徴とする２重スプリング構造。
【請求項４】
顧客が各種の取引操作を行う顧客操作部を有し、顧客との間で現金を用いた取引を行う現金取扱装置において、
前記顧客操作部のフロントパネルを持上げる持上げ機構に、請求項１ないし請求項３のいずれか一項に記載の２重スプリング構造を用いたことを特徴とする現金取扱装置。
【発明の詳細な説明】
【技術分野】
【０００１】
本発明は、顧客操作部のフロントパネル等を持上げる持上げ機構に用いる２重スプリング構造およびそれを用いた現金取扱装置に関する。
【背景技術】
【０００２】
従来の前面保守型の自動取引装置は、前面側に設けられた顧客操作部のフロントパネルを、装置本体の上部に設けられた回転支点を中心に回動自在に構成し、係員は保守時にフロントパネルの扉錠を解錠し、その下端部を上方に持上げ装置本体の前面側を解放して保守作業を行っている（例えば、特許文献１参照。）。
【先行技術文献】
【特許文献】
【０００３】
【特許文献１】特開２０１４−２９７３６号公報（段落００３１−００３７、第２図）
【発明の概要】
【発明が解決しようとする課題】
【０００４】
上記特許文献１のように、保守時等にフロントパネルを持上げて作業を行う自動取引装置には、一般に、扉錠の解錠時にフロントパネルを所定の位置まで持上げる持上げ機構（ホップアップ機構という。）を設けて、係員によるフロントパネルの下端部への手の挿入を可能にしている。
しかしながら、従来のホップアップ機構においては、１つのスプリングによって所定の位置までの持上げ動作を行わせているため、フロントパネルの重量や持上げ量を考慮すると、スプリングの線径が太くなって、スプリングの設置時の長さを長くする必要があり、そのスプリングを設けたホップアップ機構が大型化し、装置本体内に実装される各機器の実装スペースを狭くしてしまうという問題がある。
本発明は、上記の問題点を解決するためになされたもので、ホップアップ機構のスプリング構造の小型化を図る手段を提供することを目的とする。
【課題を解決するための手段】
【０００５】
本発明は、上記課題を解決するために、２つのスプリングを内外に配置した２重スプリング構造において、前記２つのスプリングの巻方向を同方向にしたことを特徴とする。
【発明の効果】
【０００６】
これにより、本発明は、内外に配置した２つのスプリングを、比較的細い線径の線材で形成して各スプリングの設置時の長さを短くすることが可能になり、ホップアップ機構を小型化して装置本体内に実装される各機器の実装スペースを確保することができるという効果が得られる。
【図面の簡単な説明】
【０００７】
【図１】実施例１の現金自動預払機の外観を示す説明図
【図２】実施例１のフロントパネルの初期回動位置を示す説明図
【図３】実施例１のホップアップ機構を示す説明図
【図４】実施例１の２重スプリング構造を示す説明図（（ａ）は側面図（ｂ）は断面図）
【図５】実施例２の２重スプリング構造を示す説明図（（ａ）は側面図（ｂ）は断面図）
【図６】実施例３の２重スプリング構造を示す説明図（（ａ）は側面図（ｂ）は断面図）
【図７】実施例３の２重スプリング構造を示す部分拡大図
【発明を実施するための形態】
【０００８】
以下に、図面を参照して本発明による現金取扱装置の実施例について説明する。
【実施例１】
【０００９】
以下に、図１ないし図４を用いて本実施例の現金自動預払機に用いるホップアップ機構について説明する。
図１において、１は現金取扱装置としての現金自動預払機であり、銀行等の金融機関の支店やコンビニエンスストア等の店舗に設置され、顧客が選択した取引の入力を受付け、これを基に図示しないホストコンピュータと交信して顧客との、現金としての紙幣に関する取引処理を自動で行う機能等を有しており、装置本体２の前面側に、顧客が紙幣の入出金やそれに伴う取引入力等の操作を行う顧客操作部３が設けられている。
【００１０】
５は表示部であり、現金自動預払機１の顧客操作部３に設けられ、ＬＣＤ等の表示画面とタッチパネル等の入力手段との組合せで構成されており、表示画面に取引選択画面や各種の入力画面、顧客の処置を促す画面等を表示する機能を有する他、入力手段により顧客からの入力を受付ける機能等を有している。
６はカード取扱部であり、顧客操作部３に設けられたカード挿入口から挿入された顧客のキャッシュカードやクレジットカード等の取引カードの磁気ストライプやＩＣチップ等に記録されている取引カードのカード情報を読み書きする機能を有すると共に明細票等に取引内容等を印刷する機能等を有している。
【００１１】
７は紙幣入出金部であり、入金取引時等に顧客操作部３に設けられた紙幣入出金口によって顧客が投入した紙幣を受入れ、これを鑑別および計数して収納庫に収納し、出金取引時等に収納庫から顧客に支払う紙幣を繰出し、これを計数して紙幣入出金口から排出して顧客に引渡す機能等を有している。
８はキー操作部であり、顧客操作部３のフロントパネル１１の解放等を行うときに、金融機関の行員やコンビニエンスストアの店員等の係員が所持するキーによるキー操作を受付ける。
【００１２】
フロントパネル１１は、装置本体２の顧客操作部３の上部側に設けられた板状部材であって、装置本体２の上部に設けられた図示しない回転支点を中心に回動可能に取付られており、常時は、図示しないロック機構により施錠されている。
なお、前記ロック機構は、キー操作部８のキー操作により解錠され、解錠後はフロントパネル１１を装置本体２に押圧することにより施錠される。
【００１３】
本実施例の表示部５、カード取扱部６のカード挿入口およびキー操作部８のキー挿入口は、フロントパネル１１に設けられている。
本実施例のフロントパネル１１は、図２に示すように、現金自動預払機１の保守作業の開始時におけるキー操作部８のキー操作による解錠時に、図３に示すホップアップ機構２０により下端部が所定の位置（初期回動位置という。）まで回動して下端部への係員の手の挿入が可能になる。
【００１４】
図３において、２１はリンク機構であり、リンク２１ａの一端とリンク２１ｂの一端とをピン２２により回動自在に連結して構成され、そのリンク２１ａの他端は、フロントパネル１１の裏面側の側端部の上部に設けられた回転支点２３に回動自在に支持されている。
２５は保持ステーであり、装置本体２の一方の側板に設置されており、リンク２１ｂの他端を摩擦力等により回動可能に保持する図示しない保持機構が設けられている。
【００１５】
図４において、３１は支持ブラケットであり、鋼板等の板材をコの字状に曲折して両端に支持部３１ａ、３１ｂが形成された支持部材であって、支持部３１ａ、３１ｂに設けられた穴（図４（ｂ）参照）に挿通するシャフト３２を摺動自在に支持してシャフト３２の移動を案内する。
３３はメインスプリングであり、バネ鋼等の線材を所定の巻方向に所定のピッチで螺旋状に巻いて形成された圧縮コイルスプリングであって、その内径は、シャフト３２の外径を所定の隙間を介して内包する直径に形成されている。
【００１６】
３４は補助スプリングであり、バネ鋼等の線材をメインスプリング３３の巻方向と同方向に所定のピッチで螺旋状に巻いて形成された圧縮コイルスプリングであって、その内径は、メインスプリング３３の外径を所定の隙間を介して内包する直径に形成されている。
３６は係止部材であり、平ワッシャ３７を介してメインスプリング３３および補助スプリング３４のそれぞれの一端を係止する円環状の板状部材であって、その内径は圧入やピン止め等の固定手段によって、シャフト３２の外径に固定されている。
なお、メインスプリング３３および補助スプリング３４のそれぞれの他端は、支持ブラケット３１の、リンク機構２１の反対側に設けられた支持部３１ｂに係止されている。
【００１７】
上記のように、本実施例のスプリング構造は、メインスプリング３３を内側に、補助スプリング３４を外側に配置した２重スプリング構造で構成され、その２つのスプリング３３、３４の一端を係止する係止部材３６および他端を係止する支持ブラケット３１の支持部３１ｂにより、シャフト３２を、リンク機構２１のリンク２１ａとリンク２１ｂとの連結部を押圧する方向に付勢しており、フロントパネル１１の施錠時には、係止部材３６によりリンク機構２１の連結部の反対側に圧縮された状態で保持される。
【００１８】
また、フロントパネル１１の解錠時には、シャフト３２の先端が、リンク機構２１の連結部を押圧してフロントパネル１１を初期回動位置（図２参照）まで回動してフロントパネル１１の重量によるモーメントと釣合う位置で停止し、その下端部への係員の手の挿入が可能状態で保持される。
なお、係員が保守作業を行う場合は、ホップアップ機構２０により初期回動位置まで回動したフロントパネル１１の下端部を更に持上げて装置本体２の前面側を解放する。このときリンク機構２１は保持ステー２５の保持機構により任意の位置に保持されるので、係員は保守作業を安全に行うことができる。
【００１９】
また、本実施例のホップアップ機構２０は、フロントパネル１１の両側の側端部に配置されている。
以上説明したように、本実施例では、ホップアップ機構２０のスプリング構造を２つのスプリング３３、３４を内外に配置した２重スプリング構造としたので、スプリング３３、３４を比較的細い線径の線材で形成して、スプリング３３、３４の設置時の長さを短くすることが可能になり、ホップアップ機構２０を小型化して、装置本体２内に実装される各機器の実装スペースを確保することができる。
【実施例２】
【００２０】
以下に、図５を用いて本実施例の２重スプリング構造について説明する。なお上記実施例１と同様の部分は、同一の符号を付してその説明を省略する。
本実施例の２重スプリング構造には、図５に示すように、内側に配置したメインスプリング３３と外側に配置した補助スプリング３４との間に、カラー４１が設けられている。
このカラー４１は、その内径を、メインスプリング３３の外径を所定の隙間を介して内包する直径とし、その外径を、補助スプリング３４の内径に所定の隙間を介して内包される直径とした円筒状の仕切部材であって、その長さは、スプリング３３、３４の設置時の長さから、フロントパネル１１の初期回動位置と施錠位置との間におけるシャフト３２のストローク長を減じた長さ以下の長さに形成される。
【００２１】
このように、本実施例では、上記実施例１と同様の効果に加えて、内側に配置したメインスプリング３３と外側に配置した補助スプリング３４との間にカラー４１を設けたので、補助スプリング３４がバネ座屈によって湾曲しようとしたとしても、その内径がカラー４１の外径に接触して湾曲が矯正され、補助スプリング３４のメインスプリング３３への噛み込みを抑制することができ、補助スプリング３４が湾曲することによるバネ反力の損失を防止することができる他、フロントパネル１１の施錠時における施錠不良の発生を防止することができる。
【実施例３】
【００２２】
以下に、図６および図７を用いて本実施例の２重スプリング構造について説明する。なお上記実施例１と同様の部分は、同一の符号を付してその説明を省略する。
本実施例のメインスプリング３３と、補助スプリング３４とは、図６、図７に示すように、互いの巻方向が逆になるように形成されている。
このように、本実施例では、上記実施例１と同様の効果に加えて、メインスプリング３３と補助スプリング３４とを、それぞれの巻方向が逆方向となるように形成したので、それぞれのスプリング３３、３４のピッチ間でメインスプリング３３と補助スプリング３４との素線を交差させることができ、補助スプリング３４のメインスプリング３３への噛み込みを回避して、補助スプリング３４が湾曲することによるバネ反力の損失を防止することができる他、フロントパネル１１の施錠時における施錠不良の発生を解消することができる。
【符号の説明】
【００２３】
１    現金自動預払機
２    装置本体
３    顧客操作部
５    表示部
６    カード取扱部
７    紙幣入出金部
８    キー操作部
１１  フロントパネル
２０  ホップアップ機構
２１  リンク機構
２１ａ、２１ｂ  リンク
２２  ピン
２３  回転支点
２５  保持ステー
３１  支持ブラケット
３１ａ、３１ｂ  支持部
３２  シャフト
３３  メインスプリング
３４  補助スプリング
３６  係止部材
３７  平ワッシャ
【図１】
2015219706.tif 000003
【図２】
2015219706.tif 000004
【図３】
2015219706.tif 000005
【図４】
2015219706.tif 000006
【図５】
2015219706.tif 000007
【図６】
2015219706.tif 000008
【図７】
2015219706.tif 000009